(57)【要約】【課題】産卵鶏の品種が持っている遺伝的な能力と飼養管理の配合飼料の品質に依存する産卵成績を上げる為に、飼養管理の中で欠かせない照明光の点灯管理を効果的に実行する産卵鶏の点灯管理装置を提供する。【解決手段】鶏舎を照射するＬＥＤ照明と制御部とを含み、制御部は育雛時に所定の波長の光を２０ルックス、育成鶏に３乃至５ルックス、産卵系及び肉用種鶏に対しては２０ルックスに設定して照射する光度モジュールと、１週齢に対しては２３時間点灯、２週齢に対しては１６時間点灯、３週齢乃至１６週齢に対しては孵化日によって固定点灯もしくは漸減点灯するが、固定点灯時は１６週齢時の日照時間を換算して点灯時間を決め、１７週齢以降に対しては基本点灯時間である１４時間から始めて総点灯時間が１７時間に達するように毎週３０分ずつ増やす点灯モジュールを含む。【選択図】図６
2011253813.tif 000002
【特許請求の範囲】
【請求項１】
鶏舎を照射するために用いられ、点灯管理装置により点灯管理されるＬＥＤ照明装置であって、
発光波長が５９０ｎｍから５９４ｎｍに設定されているＬＥＤ照明装置。
【請求項２】
鶏舎を照射するＬＥＤ照明と、前記ＬＥＤ照明の制御部とを含む点灯管理装置であって、前記制御部は、
前記ＬＥＤ照明を育雛時に対しては所定の波長の光を２０ルックスに設定し、育成鶏に対しては３乃至５ルックスに設定して照射し、産卵系及び肉用種鶏に対しては２０ルックスに設定して照射する光度モジュールと、
１週齢に対しては２３時間点灯を実行し、２週齢に対しては１６時間点灯を、３週齢乃至１６週齢に対しては孵化日によって固定点灯もしくは漸減点灯するが、固定点灯時は１６週齢時の日照時間を換算して点灯時間を決め、１７週齢以降に対しては基本点灯時間である１４時間から始めて総点灯時間が１７時間に達するように毎週３０分ずつ増やす点灯モジュールと、
を含むことを特徴とする産卵鶏の点灯管理装置。
【請求項３】
前記光度モジュールを育成鶏もしくは産卵鶏に、５９０ｎｍから５９４ｎｍの光の波長を設定して照射することを特徴とする請求項２記載の産卵鶏の点灯管理装置。
【請求項４】
０日齢乃至２０日齢の鶏の育雛時に対しては、所定の波長の光を２０ルックスに設定して照射する第１段階と、
２１日齢乃至１２０日齢の鶏の育成鶏に対しては、３乃至５ルックスに設定して照射する第２段階と、
２１日齢以上の鶏の産卵鶏及び肉用種鶏に対しては、２０ルックスに設定して照射する第３段階と、
を含むことを特徴とする産卵鶏の点灯管理方法。
【請求項５】
１週齢に対しては、２３時間点灯を実行する第１段階と、
２週齢に対しては、１６時間点灯を実行する第２段階と、
３週齢乃至１６週齢に対しては、孵化日のよって固定点灯もしくは漸減点灯をするが、固定点灯時は１６週齢時の日照時間を換算して点灯時間を決める第３段階と、
１７週齢以降に対しては、基本点灯時間である１４時間から初め、総点灯時間が１７時間に達するように毎週３０分ずつ増やす第４段階と、
を含むことを特徴とする産卵鶏の点灯管理方法。
【請求項６】
前記第３段階は、夏至(６／２２)から冬至(１２／２２)の間に立秋１６週齢が該当したら、自然日照時間だけで育てることを特徴とする請求項５記載の産卵鶏の点灯管理方法。
【請求項７】
０日齢乃至２０日齢の鶏の育雛時に対しては、所定の波長の光を２０ルックスに設定して照射する第１段階と、
２１日齢乃至１２０日齢の鶏の育成鶏に対しては、３乃至５ルックスに設定して照射する第２段階と、
２１日齢以上の鶏の産卵鶏及び肉用種鶏に対しては、２０ルックスに設定して照射する第３段階と、
を含み、
第１乃至第３段階と並行して、１週齢に対しては２３時間点灯を実行し、２週齢に対しては１６時間点灯を、３週齢乃至１６週齢に対しては孵化日によって固定点灯及び漸減点灯をするが、固定点灯時は１６週齢時の日照時間を換算して点灯時間を決め、１７週齢以降に対しては基本点灯時間である１４時間から始めて総点灯時間が１７時間に達するように、毎週３０分ずつ増やすことを特徴とする産卵鶏の点灯管理方法。
【発明の詳細な説明】
【技術分野】
【０００１】
本発明は産卵の為のＬＥＤ照明装置を含む照明光の点灯技術に関する。詳述すると、産卵鶏の品種が持っている遺伝的な能力と飼養管理の配合飼料の品質に依存する産卵成績を上げる為に、飼養管理の中で欠かせないＬＥＤ照明装置とその照明光の点灯管理を効果的に実行する産卵鶏の点灯管理装置及び点灯管理方法に関する。
【背景技術】
【０００２】
最近、韓国の経済的な発展によって消費されている食品は多様化及び高品質化していて、良質の食品群は着々と消費量が増えている。特に、たんぱく質の主な供給源としての卵の生産は、世界各国の食品事業界でも主要関心事となっている。
【０００３】
全世界的に、先進国の産卵鶏の飼養産業は１９６０年〜１９８０年代の全盛期を過ぎて、現在は下落する傾向にあるが、発展途上国の場合、１９７０年〜１９８０年代の萌芽期、１９９０年代の過渡期を過ぎ、現在、全盛期にある。
【０００４】
１９９０年の開発途上国の産卵量は２０００万トンで、２００３年の産卵量は３５００万トンにも及ぶ。この数値は世界総卵生産量の２／３を占めるもので、開発途上国の産卵量が急激に成長してきた指標となる。韓国農林省の調査資料によると、卵の場合、１９８０年は１人当たりの消費量が６．５ｋｇだったのが、２００２年には１１．３ｋｇに、その消費量が２倍近く増加した。
【０００５】
こういった卵の消費量の増加には産卵鶏飼育獣の増加が必要になった。開発途上国のほとんどは全体産卵量の２／３も生産しているにもかかわらず、一般的には養鶏規模が小さく、あまり施設の自動化がされていない。需給の情報が不確かで、需給の周期が一定しない上に、資源の浪費や病気の予防と対策が出来ていない為、病気をコントロールするために原価が高くつく。一方、こういった状況で産卵量を増やす為の様々な取り組みが続いている。
【０００６】
従って、当該技術分野では点灯管理を科学的に実行し、産卵成績を上げる為の技術の開発が求められている。
【発明の概要】
【発明が解決しようとする課題】
【０００７】
本発明は上記の問題点を解決する為のもので、産卵鶏の品種が持っている遺伝的な能力と飼養管理の配合飼料の品質に依存する産卵成績を上げる為に、飼養管理の中で欠かせない照明光の点灯管理を効果的に実行する産卵鶏の点灯管理装置及び点灯管理方法を提供する点にある。
【０００８】
また、四季がはっきりしていて、日照時間の変化が大きい韓国国内ではより注意深く管理しなければならず、正確な点灯管理により、雛の育成過程の中で性成熟と成鶏の産卵促進に最大の影響を効果的に与えて飼養成績を上げる為、産卵鶏の点灯管理装置及び点灯管理方法を提供する点にある。
【０００９】
さらに、本発明の他の目的は、以下の記載によって明確に理解できるであろう。
【課題を解決するための手段】
【００１０】
上述の目的を達成する為に、本発明によるＬＥＤ照明装置の特徴は、鶏舎を照射するために用いられ、点灯管理装置により点灯管理されるＬＥＤ照明装置であって、発光波長が５９０ｎｍから５９４ｎｍに設定されている点にある。
【００１１】
上述の目的を達成する為に、本発明による点灯管理装置の第１の特徴は、鶏舎を照射するＬＥＤ照明と、前記ＬＥＤ照明の制御部とを含む点灯管理装置であって、前記制御部は、前記ＬＥＤ照明を育雛時に対しては所定の波長の光を２０ルックスに設定し、育成鶏に対しては３乃至５ルックスに設定して照射し、産卵系及び肉用種鶏に対しては２０ルックスに設定して照射する光度モジュールと、１週齢に対しては２３時間点灯を実行し、２週齢に対しては１６時間点灯を、３週齢乃至１６週齢に対しては孵化日によって固定点灯もしくは漸減点灯するが、固定点灯時は１６週齢時の日照時間を換算して点灯時間を決め、１７週齢以降に対しては基本点灯時間である１４時間から始めて総点灯時間が１７時間に達するように毎週３０分ずつ増やす点灯モジュールと、を含む点にある。
【００１２】
本発明による点灯管理装置の付加的特徴として、前記光度モジュールの育成鶏もしくは産卵鶏に５９０ｎｍから５９４ｎｍの光の波長を設定して照射するのが望ましい。
【００１３】
上述の目的を達成する為に、本発明による点灯管理方法の第１の特徴は、０日齢乃至２０日齢の鶏の育雛時に対しては、所定の波長の光を２０ルックスに設定して照射する第１段階と、２１日齢乃至１２０日齢の鶏の育成鶏に対しては、３乃至５ルックスに設定して照射する第２段階と、２１日齢以上の鶏の産卵鶏及び肉用種鶏に対しては、２０ルックスに設定して照射する第３段階と、を含む点にある。
【００１４】
上述の目的を達成する為に、本発明による点灯管理方法の第２の特徴は、１週齢に対しては、２３時間点灯を実行する第１段階と、２週齢に対しては、１６時間点灯を実行する第２段階と、３週齢乃至１６週齢に対しては、孵化日のよって固定点灯もしくは漸減点灯をするが、固定点灯時は１６週齢時の日照時間を換算して点灯時間を決める第３段階と、１７週齢以降に対しては、基本点灯時間である１４時間から初め、総点灯時間が１７時間に達するように毎週３０分ずつ増やす第４段階と、を含む点にある。
【００１５】
本発明による点灯管理方法の付加的特徴として、前記第３段階は、夏至(６/２２)から冬至(１２/２２)の間、夏至(６/２２)から冬至(１２/２２)の間に立秋１６週齢が該当したら、自然日照時間だけでも育成が出来るように構成されるのが望ましい。
【００１６】
上述の目的を達成する為に、本発明による点灯管理方法の第３の特徴は、０日齢乃至２０日齢の鶏の育雛時に対しては、所定の波長の光を２０ルックスに設定して照射する第１段階と、２１日齢乃至１２０日齢の鶏の育成鶏に対しては、３乃至５ルックスに設定して照射する第２段階と、２１日齢以上の鶏の産卵鶏及び肉用種鶏に対しては、２０ルックスに設定して照射する第３段階と、を含み、第１乃至第３段階と並行して、１週齢に対しては２３時間点灯を実行し、２週齢に対しては１６時間点灯を、３週齢乃至１６週齢に対しては孵化日によって固定点灯及び漸減点灯をするが、固定点灯時は１６週齢時の日照時間を換算して点灯時間を決め、１７週齢以降に対しては基本点灯時間である１４時間から始めて総点灯時間が１７時間に達するように、毎週３０分ずつ増やす点にある。
【発明の効果】
【００１７】
本発明によれば、産卵鶏の品種が持っている遺伝的な能力と飼養管理の配合飼料の品質に依存する産卵成績を上げる為に、飼養管理の中で欠かせない照明光の点灯管理を効果的に実行する産卵鶏の点灯管理装置及び点灯管理方法を提供することができるようになった。
【００１８】
また、本発明によれば、四季がはっきりしていて日照時間の変化が大きな場合であっても、正確な点灯管理により、雛の育成過程の中で性成熟と成鶏の産卵促進に最大の影響を効果的に与えて、飼養成績を上げられる産卵鶏の点灯管理装置及び点灯管理方法を提供することができるようになった。
【図面の簡単な説明】
【００１９】
【図１】本発明の実施例による産卵鶏の点灯管理方法を説明する為の孵化時期別産卵能力を図表化した表１を表す図面
【図２】本発明の実施例による産卵鶏の点灯管理方法を説明する為の点灯光源の色と鶏の生産性を図表化した表２を表す図面
【図３】本発明の実施例による産卵鶏の点灯管理方法を説明する為の点灯光度と産卵能力を図表化した表３を表す図面
【図４】本発明の実施例による産卵鶏の点灯管理方法を説明する為の点灯方法と鶏の生産性を図表化した表４を表す図面
【図５】本発明の実施例による産卵鶏の点灯管理方法を説明する為の一定時間点灯法と漸減点灯法によって育成した際、産卵能力に与える影響を図表化した表５を表す図面
【図６】本発明の実施例による産卵鶏の点灯管理装置を表す構成図
【図７】本発明の実施例による産卵鶏の点灯管理方法の中の光度の順番を表すフローチャート
【図８】本発明の違う実施例による産卵鶏の点灯管理方法の中の光度の順番を表すフローチャート
【図９】本発明の実施例による産卵鶏の点灯管理方法の中の点灯の順番を表すフローチャート
【発明を実施するための形態】
【００２０】
以下に本発明の望ましい実施例を添付した図面を参照して説明する。本発明を説明するにあたって、関連した公知の機能または公知の構成について、その具体的な説明を省くことがある。
【００２１】
図１は本発明の実施例による産卵鶏の点灯管理方法を説明する為の孵化時期別産卵能力を図表化した表１を表す図面である。図１を参照すると、一般的に光線が鶏の生理に与える影響は大きい。つまり、自然日照の中で育てる場合、孵化時期別産卵能力を見ると、図１のように日照時間が徐々に増加する時期である９月乃至３月に孵化した雛は、一般的に初産日齢が早く、卵重が軽くて、産卵の持続性が落ち、経済的ではないことが分かる。従って、韓国のような開放鶏舎で産卵鶏を育てる場合は、育成期間中の日照時間を調節することが重要で、こういった問題を解決する為に、人工的に光の刺激を制限または調節する点灯管理が必要になる。
【００２２】
図２は本発明の実施例による産卵鶏の点灯管理方法を説明する為の点灯光源の色と鶏の生産性を図表化した表２を表す図面である。図１及び図２を参照すると、鶏にとって光の色は成長、性成熟、産卵能力または受精能力などに影響を与え、光の色と鶏の生産性との関係を見ると図２のようになる。一般的に波長が長い赤色は鶏の性成熟を遅延させ、カニバリズムと神経症状などの悪習を抑制させて産卵率を向上させるが、雄鶏にとっては受精能力が低下することになる。一方、緑色や青色などの波長が短い色は、鶏の成長を促進し飼料効率を低下させて性成熟を早くするが、雄鶏の受精能力を向上させる効果がある。
【００２３】
図３は本発明の実施例による産卵鶏の点灯管理方法を説明する為の点灯光度と産卵能力を図表化した表３を表す図面である。図１乃至図３を参照すると、産卵鶏にとって光の明るさは産卵能力ととても密接な関係がある。無窓鶏舎では一日中光の明るさを常に一定するように調節が効くが、韓国で見られる開放鶏舎では点灯光度を最小限の自然光の明るさに合わせたほうが望ましい。ちなみに、１フート・カンデラは１０．７６ルックスで、１ルックスは０．０９２９フート・カンデラに値する。
【００２４】
図４は本発明の実施例による産卵鶏の点灯管理方法を説明する為の点灯方法と鶏の生産性を図表化した表４を表す図面である。図５は本発明の実施例による産卵鶏の点灯管理方法を説明する為の一定時間点灯法と漸減点灯法によって育成した際、産卵能力に与える影響を図表化した表５を表す図面である。図１乃至図５を参照すると、韓国では開放鶏舎がほとんどだが、無窓鶏舎では点灯時間を意図的に調節できるので、育成期間及び産卵期間のうちの点灯方法によって鶏の生産性が変わってくる。Ｓｈｕｔｇｅ(１９６３)は白色レグホン種をケージで飼育し、幾つかの点灯方法が鶏の性成熟、成鶏生存率及び産卵能力に与える影響を調査した結果が図４に示されている。
【００２５】
一方、図５には、一定時間点灯法と漸減点灯法によって育てた際、産卵能力に与える影響が示されている。一定時間点灯法では、点灯の明るさを１０ルックスにして無窓鶏舎で飼育し、一定時間点灯は立秋後２０週齢まで９時間点灯をし続け、その以降は毎週１５分ずつ増やして１７時間になった時、点灯時間を固定した。漸減点灯では、立秋時、１６時間を点灯するが時間を徐々に減らし、２０週齢時は９時間になるようにした後、産卵期間中は一定時間点灯法と同じ方法で点灯した。以上の結果から見て、自然日照時間が徐々に増加する時期に鶏を育てる場合は、人工的に点灯時間を追加して、漸減点灯法で育てたほうが望ましい。
【００２６】
一方、漸減点灯法を利用したプログラムには、漸減漸増点灯プログラムと自然日照点灯プログラムがある。これについて説明する。漸減漸増プログラムは育成期間中の自然日照時間が徐々に長くなる時期に当たる９月から翌年の３月の間に孵化した雛を開放鶏舎で育てる際に育成期間と産卵期間を通して適用する点灯プログラムであり、雛を最初の立秋後４日間は２４時間点灯を実施する。２０週齢の自然日照時間を照射する時間に５時間を足した時間を４日齢に点灯実施し、それ以降は毎週１５分間ずつ点灯時間を減らして２０週齢時は自然日照時間に合わせる。２０週齢になると点灯時間を毎週１５分間ずつ増やして、１７時間に達するまで延長する。１７時簡になったら点灯時間を固定して更新時まで維持し続け、一旦固定した点灯時間は減らしてはいけない。
【００２７】
自然日照点灯プログラムについて説明する。自然日照点灯プログラムは、晩春から夏の間、つまり４月から８月に渡って孵化した雛に適用し、育成期間のほとんどが夏至(６／２２)から自然日照時間が徐々に減る期間に入っているので、育成期間中は人工的な点灯を考慮しなくても性成熟が自然に遅延するプログラムである。雛に対して最初の立秋後４日間は２４時間点灯を実施し、それ以降は自然日照時間に従って育てる。２０週齢になったら点灯時間を１４時間に一時的に上げて、３０週齢になるまで１０週間それを維持する。３０週齢になったら、週に１５分間ずつ点灯時間を延長し、１７時間になれば時間を固定して更新時まで維持し続ける。
【００２８】
点灯管理に幾つかの注意点がある。一つ目は、産卵開始後は一旦延長された日照時間や点灯時間が減らされることがあってはならない。二つ目はケージ鶏舎には廊下の両側に点灯を交差して配置し、全体的の光度を合わせるようにする。三つ目は一齢が他の鶏舎の点灯から影響されないように留意する。四つ目、電球は定期的に磨き、切れた電球は即時取り替えなければならない。五つ目、無窓鶏舎の場合は光が漏れそうな小さな穴もあってはならない。もし無窓鶏舎で鶏が微かな輪郭でも見たとしたら、その鶏舎は無窓鶏舎として完全でないことになる。六つ目、蛍光灯は温度によって光度の差があって、産卵を刺激するのに十分ではないので、蛍光灯は使わないほうが良い。七つ目、点灯時間と消灯時間は常に規則的に一定の時刻に実施されなければならない。八つ目、点灯光度が明るすぎると悪習の原因になるので留意する。
【００２９】
一方、ノーブルフード社での初期実験によれば、最適のＬＥＤ照明によって、卵生産及び家禽の行動反応を最大に出来ることが判明した。養鶏の現場では鶏が餌を早く見つけることが出来、体重が平均より増える著しい改善が見られた。斃死率は０．５％下落した。実験が行われたノーブルフード社の放牧及び集団養鶏の現場では鶏の好戦性が下がり、啄む事も少なくなり、温順になった。
【００３０】
図６は本発明の実施例による産卵鶏の点灯管理装置を表す構成図である。図１乃至図６を参照すると、産卵鶏の点灯管理装置はＬＥＤ照明(１０)、鶏舎(２０)、点灯管理装置(３０)を含む。ＬＥＤ照明(１０)は点灯管理装置(３０)による制御に従って鶏舎(２０)に光を照射する。
【００３１】
点灯管理装置(３０)は入出力インターフェース(３１)、制御部(３３)、記憶部(３５)を含み、制御部(３３)は光度モジュール(３３ａ)及び点灯モジュール(３３ｂ)を含む。そして本明細書でのモジュールとは本発明の技術的思想を実行する為のハードウェア及び前記ハードウェアを駆動する為のソフトウェアの機能的、構造的結合を意味する。例えば、上記モジュールは所定のコードと上記の所定のコードが実行される為のハードウェアリソースの論理的な単位を意味し、必ずしも物理的に関連したコードを意味したり、一種類のハードウェアだけを意味するのではない。
【００３２】
入出力インターフェース(３１)はＬＥＤ照明(１０)に対する制御信号を転送し、フィードバックのデータを貰う為のデータ線路である。光度モジュール(３３ａ)はＬＥＤ照明(１０)に対して光度の第１段階である育雛時０日齢乃至２０日齢の鶏に対しては、２０ルックスに光の波長を変更して設定するように入出力インターフェース(３１)を制御する。以降、光度モジュール(３３ａ)はＬＥＤ照明(１０)に対して第２段階である育成鶏の２１日齢乃至１２０日齢の鶏に対しては、３乃至５ルックスで５９２ｎｍ光の波長を照射するように入出力インターフェース(３１)を制御する。最後に、光度モジュール(３３ａ)はＬＥＤ照明(１０)に対して第３段階である産卵鶏の１２１日齢以上の鶏に対しては、２０ルックスに光の波長を変更して設定するように入出力インターフェース(３１)を制御する。
【００３３】
本発明のもう一つの実施例として、光度モジュール(３３ａ)はＬＥＤ照明(１０)に対して光度の第1段階である育雛時０日齢乃至２０日齢の鶏に対しては、２０ルックスに光の波長を変更して設定するように入出力インターフェース(３１)を制御する。以降、光度モジュール(３３ａ)はＬＥＤ照明(１０)に対して第２段階である育成鶏の２１日齢乃至１２０日齢の鶏に対しては、３乃至５ルックスに光の波長を変更して照射するように入出力インターフェース(３１)を制御する。最後に、光度モジュール(３３ａ)はＬＥＤ照明(１０)に対して第３段階である肉用種鶏の１２１日齢以上の鶏に対しては、２０ルックス乃至５０ルックスに光の波長を変更して設定するように入出力インターフェース(３１)を制御する。
【００３４】
一方、上記の光度モジュール(３３ａ)のＬＥＤ照明(１０)を育成鶏もしくは産卵鶏には、アンバー色となる５９０ｎｍから５９４ｎｍの光の波長に設定して照射することが好ましく、該当ＬＥＤ照明(１０)を育成鶏もしくは産卵鶏の餌の所だけを光が照射出来るように設定するのが望ましい。
【００３５】
点灯モジュール(３３ｂ)はＬＥＤ照明(１０)に対して第１段階である１週齢に対しては、２３時間点灯を実行するように入出力インターフェース(３１)を制御する。以降、点灯モジュール(３３ｂ)は第２段階の２週齢に対しては、１６時間点灯を実行するように入出力インターフェース(３１)を制御する。第３段階の３週齢乃至１６週齢に対しては孵化日によって固定点灯もしくは漸減点灯をするが、固定点灯時は１６週齢の日照時間を換算し、点灯時間を決めるように入出力インターフェース(３１)を制御する。ただし、点灯モジュール(３３ｂ)は、夏至(６／２２)から冬至(１２／２２)の間に立秋１６週齢が該当したら、自然日照時間だけでも育てることが出来る。最後に、点灯モジュール(３３ｂ)は第４段階の１７週齢以降に対しては基本点灯時間である１４時間から始め、総点灯時間が１７時間に達するように毎週３０分ずつ増やすように入出力インターフェース(３１)を制御する。
【００３６】
記憶部(３５)は制御部(３３)へ制御の為のデータを保存し、制御部(３３)の要請によって制御部(３３)にデータを転送する。本発明で記憶部(３５)は不揮発性メモリ(Non-volatile memory, NVM)として電源が供給されなくても保存されたデータを削除せずに維持し続け、フラッシュメモリ(Flash Memory)、MRAM(Magnetic Random Access Memory)、PRAM(Phase-change Random Access memory: 相変化ラム)、FRAM(Ferroelectric RAM: 強誘電体ラム)などで構成される。
【００３７】
図7は本発明の実施例による産卵鶏の点灯管理方法の中の光度の順番を表すフローチャートである。図１乃至図７を参照し、まず鶏に対する光の効果を見てみよう。鶏に対する光の直接効果は鶏の内分泌器官を刺激し、育成期には性成熟を遅延または促進し、産卵期には産卵促進、換羽防止、ビタミンＤ合成に関与している。
【００３８】
作用起電は光が目の網膜を通して視神経を刺激し、視神経を通して脳下垂体の前葉の卵胞刺激ホルモン(ＦＳＨ)と黄体形成ホルモン(ＬＨ)の分泌を促進し、卵を生産する。従って、光度の光の明るさを図６のように調節することによって、年間平均２２０個ほどの卵を生産する鶏が光度の光の波長を変更して該当照明灯を設置し、年間３２０個の卵を産むことが出来る。
【００３９】
つまり、光度の第１段階の育雛時０日齢乃至２０日齢の鶏に対しては、２０ルックスに光の波長を変更して設定する（Ｓ１）。第２段階の育成鶏の２１日齢乃至１２０日齢の鶏に対しては、３乃至５ルックスに光の波長を変更して照射する（Ｓ２）。最後の第３段階の産卵鶏の１２１日齢以上の鶏に対しては、２０ルックスに光の波長を変更して設定する(Ｓ３)。
【００４０】
図８は本発明の他の実施例による産卵鶏の点灯管理方法の中の光度の順番を表すフローチャートである。図１乃至図８を参照すると、光度の第１段階の育雛時０日齢乃至２０日齢の鶏に対しては、２０ルックスに光の波長を変更して設定する(Ｓ１１)。第２段階の育成鶏の２１日齢乃至１２０日齢の鶏に対しては、３乃至５ルックスに光の波長を変更して照射する(Ｓ１２)。最後の第３段階の肉用種鶏の１２１日齢以上の鶏に対しては、２０乃至５０ルックスに光の波長を変更して設定する(Ｓ１３)。
【００４１】
図９は本本発明の更に他の実施例による産卵鶏の点灯管理方法の中の点灯の順番を表すフローチャートである。図１乃至図９を参照して、まず本発明で使用される点灯の原則について見てみよう。
【００４２】
一つ目の原則は、育成期間中は点灯期間(日照時間)や照度を絶対に増やさない事である。育成期間中の点灯時間と照度の増加は雛の成長と性成熟に大きな影響を与え、正常な体成長をする前に性成熟が早くなり、脱肛が発生、卵重が足りなくなる。産卵ピークの不良、産卵持続の期間が短縮されるので点灯時間の増加は絶対にあってはならない。特に冬至(１２／２２)を過ぎて夏至(６／２２)まで日が長くなる場合、開放鶏舎で雛を育てる農家にこういった現象は少なくはない。
【００４３】
二つ目の原則は、産卵期には点灯時間(日照時間)や照度を絶対に減少させない事である。産卵期に点灯時間や照度が低下すると、産卵率、卵重が減少し、換羽鶏の発生がしやすくなる。
【００４４】
図７若しくは図８の光度の順番と一緒に後述する点灯の順番によって、産卵率に対する確率をより増加出来る。図９のフローチャートを参照すると、育雛育成は自然日照時間に影響されない無窓鶏舎で実施されたほうが良いが、本発明では有窓鶏舎での点灯プログラムを紹介する。
【００４５】
第１段階の１週齢に対しては２３時間点灯を実行する(Ｓ２１)。
第２段階の２週齢に対しては１６時間点灯を実行する(Ｓ２２)。
第３段階の３週齢乃至16週齢に対しては孵化日によって固定点灯もしくは漸減点灯をするが、固定点灯時は１６週齢時の日照時間を換算して点灯時間を決める。ただし、夏至(６／２２)から冬至(1２／２２)の間に立秋１６週齢が該当したら、自然日照時間だけでも育てる事が出来る。
第4段階の１７週齢以降に対しては、基本点灯時間である１４時間から初めて総点灯時間が１７時間に達するように、毎週３０分ずつ増やす。
【００４６】
上記のように、光は鶏の能力に大きく影響を与える重要な環境要因の一つとなる。効果的な点灯管理は養鶏産業を成功させるのに必須とも言える。しかし、無理な点灯(成鶏の場合は１８時間以上)と不合理的な点灯は、かえって生産性を低下させる。つまり、点灯時間は鶏にとっては活動の時間であり、鶏にも１日、少なくとも６乃至８時間の十分な休憩が要るからだ。不必要な点灯をすると、鶏の睡眠を邪魔し、目を瞑っている鶏には点灯の効果も落ちる。鶏は生理的に朝早く起きて夜９時前には睡眠を取る為、その間に点灯する事が一番良い方法だと思われる。
【００４７】
以上のように、当明細書と図面には本発明の望ましい実施例について開示し、たとえ特定用語が使われたとしても、それは本発明の技術の内容をより分かりやすく説明し、発明の理解を役立てる為の一般的な意味で使った次第であり、本発明の範囲を限定するものではない。ここに開示された実施例以外にも、本発明の技術的思想に基づいた違う例が実施出来るという事が、本発明の属する技術分野で通常の知識を備えた人には自明な事であろう。
【符号の説明】
【００４８】
１０：ＬＥＤ照明
２０：鶏舎
３０：点灯管理装置
３１：入出力インターフェース
３３：制御部
３３ａ：光度モジュール
３３ｂ：点灯モジュール
３５：記憶部
【図１】
2011253813.tif 000003
【図２】
2011253813.tif 000004
【図３】
2011253813.tif 000005
【図４】
2011253813.tif 000006
【図５】
2011253813.tif 000007
【図６】
2011253813.tif 000008
【図７】
2011253813.tif 000009
【図８】
2011253813.tif 000010
【図９】
2011253813.tif 000011